【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
所定の画像形成速度でシートに画像を形成する画像形成手段と、
前記画像形成手段までのシート搬送距離が異なる複数の給送手段と、
前記複数の給送手段のいずれかから給送されたシートを前記画像形成手段へ搬送する搬送手段と、
前記複数の給送手段のいずれかから給送されたシートを前記画像形成手段の上流の第１位置で一時停止させるよう前記搬送手段を制御する制御手段と、
前記給紙手段により給紙されたシートを検知する検知手段と、
を有し、
前記制御手段は、前記複数の給送手段のどの給送装置からシートが給送されるか及び前記画像形成手段の画像形成速度に応じて、前記第１位置の上流の第２の位置で後続シートを一時停止させるか否か及び前記検知手段でシートを検知した後の前記搬送手段のシート搬送速度の変更を制御することを特徴とする画像形成装置。
【請求項２】
前記制御手段は、第１給送手段から給送されたシートに第１画像形成速度で画像形成を行う場合、前記搬送手段により後続シートを第１速度で搬送させた後、前記第２位置で後続シートを一時停止させ、前記第１給送手段よりも前記画像形成手段までのシート搬送距離が短い第２給送手段から給送されたシートに前記第１画像形成速度で画像形成を行う場合、前記第２位置を含む所定区間では、前記第２位置で後続シートを一時停止させることなく、前記搬送手段により後続シートを前記第１速度よりも遅い第２速度で搬送させることを特徴とする請求項１記載の画像形成装置。
【請求項３】
前記制御手段は、前記第１給送手段から給送されたシートに前記第１画像形成速度で画像形成を行う場合、及び、前記第２給送手段から給送されたシートに前記第１画像形成速度で画像形成を行う場合のいずれの場合においても、前記第１給送手段または前記第２給送手段が先行シートを給送してから第１時間経過後に後続シートを給送させることを特徴とする請求項２記載の画像形成装置。
【請求項４】
前記制御手段は、前記第２給送手段から給送されたシートに前記第１画像形成速度で画像形成を行う場合、前記第２給送手段が先行シートを給送してから、前記第１時間よりも長い第２時間経過後に後続シートを給送させ、前記搬送手段により後続シートを第１速度で搬送させた後、前記第２位置で後続シートを一時停止させることを特徴とする請求項３記載の画像形成装置。
【請求項５】
前記制御手段は、前記第１速度を前記第１画像形成速度よりも早い速度とすることを特徴とする請求項２記載の画像形成装置。
【請求項６】
前記制御手段は、普通紙に画像形成を行う場合、第１画像形成速度で普通紙に画像形成させ、厚紙に画像形成を行う場合、前記第１画像形成速度よりも遅い第２画像形成速度で厚紙に画像形成させることを特徴とする請求項１記載の画像形成装置。
【手続補正２】
【補正対象書類名】明細書
【補正対象項目名】００１２
【補正方法】変更
【補正の内容】
【００１２】
前記課題を解決するため、本発明では、画像形成装置を次の（１）ないし（６）のとおりに構成する。
（１）所定の画像形成速度でシートに画像を形成する画像形成手段と、
前記画像形成手段までのシート搬送距離が異なる複数の給送手段と、
前記複数の給送手段のいずれかから給送されたシートを前記画像形成手段へ搬送する搬送手段と、
前記複数の給送手段のいずれかから給送されたシートを前記画像形成手段の上流の第１位置で一時停止させるよう前記搬送手段を制御する制御手段と、
前記給紙手段により給紙されたシートを検知する検知手段と、
を有し、
前記制御手段は、前記複数の給送手段のどの給送装置からシートが給送されるか及び前記画像形成手段の画像形成速度に応じて、前記第１位置の上流の第２の位置で後続シートを一時停止させるか否か及び前記検知手段でシートを検知した後の前記搬送手段のシート搬送速度の変更を制御する画像形成装置。
（２）前記制御手段は、第１給送手段から給送されたシートに第１画像形成速度で画像形成を行う場合、前記搬送手段により後続シートを第１速度で搬送させた後、前記第２位置で後続シートを一時停止させ、前記第１給送手段よりも前記画像形成手段までのシート搬送距離が短い第２給送手段から給送されたシートに前記第１画像形成速度で画像形成を行う場合、前記第２位置を含む所定区間では、前記第２位置で後続シートを一時停止させることなく、前記搬送手段により後続シートを前記第１速度よりも遅い第２速度で搬送させる前記（１）記載の画像形成装置。
（３）前記制御手段は、前記第１給送手段から給送されたシートに前記第１画像形成速度で画像形成を行う場合、及び、前記第２給送手段から給送されたシートに前記第１画像形成速度で画像形成を行う場合のいずれの場合においても、前記第１給送手段または前記第２給送手段が先行シートを給送してから第１時間経過後に後続シートを給送させる前記（２）記載の画像形成装置。
（４）前記制御手段は、前記第２給送手段から給送されたシートに前記第１画像形成速度で画像形成を行う場合、前記第２給送手段が先行シートを給送してから、前記第１時間よりも長い第２時間経過後に後続シートを給送させ、前記搬送手段により後続シートを第１速度で搬送させた後、前記第２位置で後続シートを一時停止させる前記（３）記載の画像形成装置。
（５）前記制御手段は、前記第１速度を前記第１画像形成速度よりも早い速度とする前記（２）記載の画像形成装置。
（６）前記制御手段は、普通紙に画像形成を行う場合、第１画像形成速度で普通紙に画像形成させ、厚紙に画像形成を行う場合、前記第１画像形成速度よりも遅い第２画像形成速度で厚紙に画像形成させる前記（１）記載の画像形成装置。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】